(57)【要約】【課題】  洗浄作業中は脱落するおそれがなく、しかも鉗子口への着脱が容易な洗浄用アダプタを提供する。【解決手段】  本体ガイド部材２１に形成した第１の摺動部２３と摺動するように設けられ、流体パイプを装着した第１のスライド部材２７に円環状突条２８を形成して、それに鉗子口１２のフランジ部１２ａに係合するフック３１を設け、この第２のスライド部材２７と第２のスライド部材２９との間にばね３０を設けて、本体ガイド部材２１の第１，第２の摺動部２３，２４ａ〜２４ｃに押し付けるようになし、かつ第１の摺動部２３の第１の挟持部３３ａによりフランジ部１２ａを挟持するようになし、かつ第１のスライド部材２７に設けたストッパピン３４を第１の摺動部２３の第１の貫通孔３６に挿入する。【選択図】  図９
2006149556.tif 000002
【特許請求の範囲】
【請求項１】
開口端部にフランジ部を設けた鉗子口に着脱可能に装着されて、処置具挿通チャンネル内を洗浄するための内視鏡のチャンネル洗浄アダプタにおいて、
相対向するように配設した第１の摺動部及び第２の摺動部を有する本体ガイド部材と、
前記第１の摺動部に沿って所定の方向に往復摺動可能な第１のスライド部材と、
この第１のスライド部材に固定して設けられ、洗浄液の供給手段が装着される流体パイプと、
前記流体パイプが貫通するように設けられ、前記第２の摺動部に対して摺動可能となった第２のスライド部材と、
前記第１，第２のスライド部材間に介装され、これら第１，第２のスライド部材をそれぞれの摺動面に押し付ける押圧手段と、
前記第１のスライド部材に設けられ、前記鉗子口のフランジ部に掛着可能なフックと、
前記本体ガイド部材に形成され、前記第１のスライド部材が一方向に所定量変位した時に前記フランジ部の一部をその間に挟持する挟持部と、
前記本体ガイド部材と前記第１のスライド部材との間に設けられ、前記フックと前記挟持部により前記フランジ部に止着された状態で着脱可能に固定するストッパ部と
からなることを特徴とする内視鏡のチャンネル洗浄アダプタ。
【請求項２】
前記ストッパ部は、前記本体ガイド部材の第１の摺動部側に形成した貫通孔と、前記第１のスライド部材に設けたストッパピンとから構成され、前記鉗子口のフランジ部が前記フックと挟持部とにより固定される位置でこのストッパピンが貫通孔に挿入されることを特徴とする請求項１記載の内視鏡のチャンネル洗浄アダプタ。
【請求項３】
前記鉗子口の内径は前記流体パイプをほぼ密嵌状態に挿入させる寸法を有するものであり、前記本体ガイド部材の第１の摺動部側には、前記フックと前記挟持部とによって前記第１のスライド部材が固定される位置に設けた第１の貫通孔と、この第１の貫通孔の位置より前記第１のスライド部材のスライド方向前方である奥側に配置された第２の貫通孔とを備え、前記ストッパピンがこの第２の貫通孔に挿入されたときには、前記鉗子口のフランジ部の９０°から１８０°の間の角度分だけ挟持する挟持部を有する構成としたことを特徴とする請求項２記載の内視鏡のチャンネル洗浄アダプタ。
【発明の詳細な説明】
【技術分野】
【０００１】
本発明は、医療用等として用いられる内視鏡において、処置具挿通チャンネル等からなるチャンネルの内部を洗浄するための内視鏡のチャンネル洗浄アダプタに関するものである。
【背景技術】
【０００２】
特に医療用として用いられる内視鏡に設けられる処置具挿通チャンネルは、挿入部の先端において体腔内に開口しており、この挿入部の基端部に連結して設けた本体操作部には鉗子口と呼ばれる処置具の導入部が形成される。従って、鉗子その他の処置具は、この鉗子口から挿入されて、被験者の体腔内に挿入され、体内組織を取り出したり、ポリープ等を摘出したりする処置が施される結果、処置具挿通チャンネルの内部は汚損されることになる。そして、処置具挿通チャンネルは吸引経路としても機能させる場合もあり、この場合には、処置具挿通チャンネルは極端に汚損されることになる。
【０００３】
そもそも、内視鏡は挿入部が体内に挿入される関係から、使用の都度洗浄されるが、その際に処置具挿通チャンネルの内部も洗浄する必要がある。このために、処置具挿通チャンネルではないが、内視鏡の管路の入口部に形成したフランジ部にアダプタを接続し、このアダプタに薬液の供給装置を装着して、薬液を管路に圧送することになる。薬液等を圧送する際には、アダプタが鉗子口から離脱しないように保持しなければならない。このために、鉗子口に形成したフランジ部を利用して、アダプタでこのフランジ部を挟持させるようにして固定する方式は、例えば特許文献１に記載されている。
【特許文献１】特公平６−６１０３号公報
【発明の開示】
【発明が解決しようとする課題】
【０００４】
ところで、前述した特許文献１に記載されている洗浄用アダプタの構成は、アダプタを鉗子口に形成したフランジ部に引っ掛けるようにして装着されるものであり、格別の固定手段を備えていないものである。従って、洗浄作業を行なっている間に、このアダプタが脱落してしまうという不都合がある。このために、処置具挿通チャンネルの内部を完全に洗浄されないままとなってしまう可能性があり、従って衛生管理上の観点から、他の滅菌方法等と併用することが要求されることになる。
【０００５】
本発明は以上の点に鑑みてなされたものであって、その目的とするところは、洗浄作業中は脱落するおそれがなく、しかも鉗子口への着脱が容易な洗浄用アダプタを提供することにある。
【課題を解決するための手段】
【０００６】
前述した目的を達成するために、本発明は、開口端部にフランジ部を設けた鉗子口に着脱可能に装着されて、処置具挿通チャンネル内を洗浄するための内視鏡のチャンネル洗浄アダプタであって、相対向するように配設した第１の摺動部及び第２の摺動部を有する本体ガイド部材と、前記第１の摺動部に沿って所定の方向に往復摺動可能な第１のスライド部材と、この第１のスライド部材に固定して設けられ、洗浄液の供給手段が装着される流体パイプと、前記流体パイプが貫通するように設けられ、前記第２の摺動部に対して摺動可能となった第２のスライド部材と、前記第１，第２のスライド部材間に介装され、これら第１，第２のスライド部材をそれぞれの摺動面に押し付ける押圧手段と、前記第１のスライド部材に設けられ、前記鉗子口のフランジ部に掛着可能なフックと、前記本体ガイド部材に形成され、前記第１のスライド部材が一方向に所定量変位した時に前記フランジ部の一部をその間に挟持する挟持部と、前記本体ガイド部材と前記第１のスライド部材との間に設けられ、前記フックと前記挟持部により前記フランジ部に止着された状態で着脱可能に固定するストッパ部とからなることをその特徴とするものである。
【０００７】
ここで、洗浄という場合、消毒、滅菌を含むものであり、要するに処置具挿通チャンネルの内部を再使用しても、衛生上問題とならない状態にまで回復するための操作である。具体的には、洗浄液（消毒液を含む）を処置具挿通チャンネルの内部に供給して、その内壁面から汚損物を除去するものである。通常は、洗浄アダプタに薬液の供給管を接続するか、シリンジ等の手動圧送手段を接続することによって、洗浄液を処置具挿通チャンネルの内部に供給する。この際に、洗浄液の供給源への接続部を安定的に保持することは、洗浄操作の確実性及び安定性にとって極めて重要である。洗浄液アダプタに設けた流体パイプは前述した洗浄液の供給源への接続部となる。洗浄アダプタは鉗子口に設けたフランジ部を挟持することにより固定的に保持する。そして、洗浄アダプタがフランジ部を挟持した状態で着脱可能に固定するためのストッパ部が設けられている。
【０００８】
このストッパ部の具体的な構成としては、例えば、本体ガイド部材の第１の摺動部側に形成した貫通孔と、第１のスライド部材に設けたストッパピンとから構成することができる。そして、鉗子口のフランジ部がフックと挟持部とにより固定される位置でこのストッパピンが貫通孔に挿入されるようにする。このストッパピンを貫通孔に挿脱できるようにするために、第１，第２のスライド部材をそれぞれの摺動部に押し付ける押圧手段が第１，第２のスライド部材間に介装されている。ここで、押圧手段としては、第１のスライド部材を第１の摺動部に押し付け、これと同時に第２のスライド部材を第２の摺動部に押し付けるように作用するものであり、従って押圧手段としては、ゴム等の弾性部材やばね等の付勢手段で構成することができる。
【０００９】
内視鏡の挿入部の太さと、他の挿通部材との関係等によって、使用される処置具挿通チャンネルの太さが異なってくる。処置具挿通チャンネルの基端部は鉗子口に連結されるので、この鉗子口の処置具挿通チャンネルへの連結部の構成は処置具挿通チャンネルの寸法に依存するが、鉗子口のフランジ部を形成した部位の寸法には影響を与える訳ではないことから、処置具挿通チャンネルの断面寸法が変化しても、洗浄アダプタの構成を変化させる必要はない。ただし、鉗子口における導入部分のサイズとしては、鉗子口の構成としては、一般的な広口タイプのものと、内面テーパ付きの狭口のタイプとがある。従って、鉗子口のフランジ部の寸法も異なってくる。洗浄アダプタとして、これら２種類のタイプの鉗子口に共用できるように構成することができる。このためには、まず洗浄アダプタの流体パイプを鉗子口にほぼ密嵌状態に挿入させる寸法を有するものとする。そして、本体ガイド部材の第１の摺動部側において、広口の鉗子口に固定するために、フックと挟持部とによって第１のスライド部材が固定される位置に設けた第１の貫通孔と、この第１の貫通孔の位置より第１のスライド部材のスライド方向前方に配置され、狭口の鉗子口に装着したときにおけるストッパ部として機能する第２の貫通孔とを備え、ストッパピンがこの第２の貫通孔に挿入されたときには、狭口の鉗子口におけるフランジ部の９０°から１８０°の間の角度分だけ挟持部により挟持する形状とする。ここで、この挟持部は広口の鉗子口に固定する際に使用したものと同じであっても良く、またそれとは別の部位に形成することもできる。
【発明の効果】
【００１０】
以上のように構成することによって、洗浄アダプタを鉗子口に着脱する操作を容易に行うことができると共に、装着状態では極めて安定した状態に保持され、みだりに脱落する等のおそれはない。
【発明を実施するための最良の形態】
【００１１】
以下、図面に基づいて本発明の実施の一形態について説明する。まず、図１に一般的な内視鏡の概略構成を示す。この図１から明らかなように、内視鏡は、術者等が手で把持して操作を行なうための本体操作部１と、この本体操作部１に連結して設けた挿入部２と、本体操作部１から引き出され、光源装置や映像信号処理装置等に接続されるユニバーサルコード３とから大略構成されるものである。
【００１２】
本体操作部１には、術者が操作するための各種の操作手段が設けられている。挿入部２の先端近傍は遠隔操作で湾曲可能なアングル部となっており、このアングル部を湾曲操作するためのアングルノブ４が本体操作部１の側面部に取り付けられている。また、本体操作部１の基端側の上面部には、送気送水ボタン５，吸引ボタン６が設けられており、さらに後部位置には１または複数の制御スイッチも設けられている。本体操作部１の先端側に近い位置、つまり挿入部２への連結部の近傍には処置具挿入部１０が形成されている。
【００１３】
ここで、処置具導入部１０は、鉗子や高周波処置具等といった処置具を体内に挿入するためのものであって、この処置具導入部１０には処置具挿通チャンネル１１の基端部が接続されており、その先端部は挿入部２の先端に開口している。この処置具導入部１０は、図２に示したように、段付きパイプからなる鉗子口１２を有し、この鉗子口１２の先端にはフランジ部１２ａが形成されており、このフランジ部１２ａには鉗子栓１３が装着されるようになっている。通常、鉗子栓１３は閉鎖状態に保持されており、この鉗子栓１３には逆止弁としての機能を有し、鉗子その他の処置具は外部側から挿入可能となっている。処置具挿通チャンネル１１は吸引通路１４と分岐しており、吸引ボタン６を操作することによって、体内からの吸引が行なわれるが、この吸引時には、鉗子栓１３の逆止弁によって吸引経路は密閉状態に保持される。
【００１４】
内視鏡の使用後には、その洗浄が行なわれるが、洗浄は挿入部２の外側だけでなく、内視鏡全体及び処置具挿通チャンネル１１の内部も洗浄されることになる。処置具挿通チャンネル１１の内部を洗浄するための洗浄液は、鉗子口１２から供給されるようになっている。このために、洗浄アダプタ２０がこの鉗子口１２に装着され、洗浄液の供給手段はこの洗浄アダプタ２０を介して鉗子口１２から処置具挿通チャンネル１１及び吸引通路１４内に洗浄液を供給するようになっている。
【００１５】
図３及び図４に洗浄アダプタ２０の外観を、また図５にその底面を、さらに図６に断面をそれぞれ示す。これらの図、特に図３及び図４において、２１は本体ガイド部材であり、２２は洗浄液供給部材である。ここで、洗浄アダプタ２０は鉗子口１２だけでなく、後述する狭口の鉗子口１５にも装着可能な構成としたものである。ただし、洗浄アダプタは単一種類の鉗子口にのみ適用可能なものとして構成することもできる。
【００１６】
本体ガイド部材２１は金属板を曲成することにより形成され、底部が平坦な第１の摺動部２３となり、この第１の摺動部２３の３辺からは立ち上がり部が形成されており、相対向する２辺の立ち上がり部２４，２４はさらに相互に近接する方向に向けて水平方向に曲成することにより第２の摺動部を構成している。第２の摺動部は後述する第２のスライド部材２９の左右両側部を摺動可能に挟持するためのものであり、従ってこの第２の摺動部における水平方向の曲成部は３つの部片から構成されている。前後に位置する摺動部片２４ａ，２４ｃは第２のスライド部材２９の上面と、中間に位置する摺動部片２４ｂは第２のスライド部材２９の下面と摺動可能となっている。さらに、本体ガイド部材２１には、もう１辺の立ち上がり部は保形部２５であり、この保形部２５は第１の摺動部２３と一体的に連なっている。従って、本体ガイド部材２１は、その一方側のみが開口した概略ボックス形状となっている。そして、以下の説明においては、この本体ガイド部材２１における開口側を手前側、それとは反対側、つまり保形部２５の配設側を奥側という。
【００１７】
図６から明らかな通り、洗浄液供給部材２２は流体パイプ２６を有し、この流体パイプ２６の先端部分は洗浄液供給手段が着脱可能に接続される接続部２６ａであって、この接続部２６ａは、周知のルアーロック機構等で構成することができる。この接続部２６ａには供給管部２６ｂが連結されており、この供給管部２６ｂは鉗子口１２の内部に所定の長さ分だけ挿入されるようになっている。供給管部２６ｂには、第１のスライド部材２７が一体に設けられている。この第１のスライド部材２７は厚手の板部材から構成され、本体ガイド部材２１の内部において、第１の摺動部２３の左右両端部からの立ち上がり壁２４，２４の内面にガイドされて、前後方向、つまり本体ガイド部材２１の開口している側から見て奥側と手前側とに向けてのみ移動可能となっている。また、この第１のスライド部材２７における第１の摺動部２３に対面する側の面には、流体パイプ２６を中心とする円環状突条２８が設けられており、この円環状突条２８の内径は、鉗子口１２のフランジ部１２ａの外径より僅かに大きい寸法を有している。そして、第１のスライド部材２７における円環状突条２８を設けた部位より内側にはリング状のシール部材２７ａが装着され、さらにこのシール部材２７ａの内側には円環板２７ｂが装着されている。
【００１８】
さらに、流体パイプ２６のうちの接続部２６ａと供給管部２６ｂとの間の移行部には、長方形の板体からなる第２のスライド部材２９が挿通・固定されている。この第２のスライド部材２９は、本体ガイド部材２１における第２の摺動部を構成する摺動部片２４ａ，２４ｃと２４ｂとの間に挿入されており、従ってこの第２のスライド部材２９は本体ガイド部材２１の前後方向、つまり第１のスライド部材２７と同じ方向に向けてのみ摺動可能となっている。第２のスライド部材２９には筒体２９ａが固定して設けられており、この筒体２９ａは流体パイプ２６の軸線方向に移動可能となっている。そして、この第２のスライド部材２９と第１のスライド部材２７との間には、これら第１，第２のスライド部材２７，２９をそれぞれ第１，第２の摺動部２３，２４ａ〜ｃに圧接させる方向に作用する押圧手段としてのばね３０が設けられている。
【００１９】
洗浄アダプタ２０は、鉗子口１２におけるフランジ部１２ａを挟持するようにしてこの鉗子口１２に固定されるものである。このために、本体ガイド部材２１における手前側、つまり保形部２５とは反対側の端部側位置には、第１のスライド部材２７に設けた円環状突条２８にフック３１が設けられている。このフック３１は円環状突条２８の先端において、所定の幅にわたって半径方向内向きに突出させたものからなり、円環状突条２８をフランジ部１２ａに嵌合させた状態では、フック３１はこのフランジ部１２ａの下面側に当接するようになっている。
【００２０】
本体ガイド部材２１における第１の摺動部２３には、所定の切り欠き部３２が形成されており、流体パイプ２６はこの切り欠き部３２の位置において第１の摺動部２３から所定の長さ分だけ突出している。そして、この切り欠き部３２の奥部には、一対の第１の挟持部３３ａ，３３ａが形成されており、また最奥部は概略１８０°の角度分を有する第２の挟持部３３となっている。従って、第１のスライド部材２７を本体ガイド部材２１の第１の摺動部２３に沿って奥側に変位させると、この第１のスライド部材２７の円環状突条２８と第１の挟持部３３ａとの間にフランジ部１２ａを挟持させることができるようになる。これによって、鉗子口１２のフランジ部１２ａはフック３１と、このフック３１から左右に９０°以上離れた２箇所の第１の挟持部３３ａ，３３ａとにより挟持された状態となる。
【００２１】
ただし、このままでは、第１のスライド部材２７が本体ガイド部材２１の手前側に向けて移動してしまうので、洗浄アダプタ２０が鉗子口１２から離脱するのを規制することができない。そこで、第１のスライド部材２７には、その奥側の位置における左右両側部にストッパピン３４，３４が立設されている。一方、本体ガイド部材２１には、その切り欠き部３２のうち、第１の挟持部３３ａを形成した部位より手前側の位置にはピン逃げ部３５が形成されており、またそれより奥側の位置には、ストッパピン３４が嵌入する第１の貫通孔３６が設けられている。これによって、ストッパピン３４が第１の貫通孔３６に嵌入すると、本体ガイド部材２１と洗浄液供給部材２２とが相対移動しないように保持するストッパ機能が発揮されることになる。
【００２２】
以上のように構成することによって、内視鏡の本体操作部１に設けた処置具挿入部１０の鉗子口１２に設けた鉗子栓１３を取り外して、洗浄アダプタ２０を装着することができる。まず、図７に示したように、洗浄アダプタ２０の全体を傾けて、その切り欠き部３２内にフランジ部１２ａを位置させる。そして、円環状突条２８に形成したフック３１を鉗子口１２のフランジ部１２ａの外周面に係合させる。その後、洗浄アダプタ２０を倒すようにして、流体パイプ２６が鉗子口１２と平行になるように変位させる。このときには、第１のスライド部材２７の円環状突条２８は第１の摺動部２３の切り欠き部３２に位置し、かつストッパピン３４はピン逃げ部３５に配置されている。
【００２３】
そこで、ばね３０を圧縮することにより洗浄液供給部材２２の第１のスライド部材２７を本体ガイド部材２１の第１の摺動部２３から離間させる。ただし、鉗子口１２のフランジ部１２ａはフック３１に引っ掛けられているので、図８に示したように、フランジ部１２ａの端面は第１のスライド部材２７と当接した状態に維持され、第１の摺動部２３はこれらから離れることになる。
【００２４】
この状態で、鉗子口１２のフランジ部１２ａと共に洗浄液供給部材２２全体を本体ガイド部材２１の奥側に押し込むように操作し、ストッパピン３４が第１の貫通孔３６と対面する位置までスライド変位させる。その後に、ばね３０に対する圧縮を解除する。その結果、図９及び図１０に示したように、鉗子口１２のフランジ部１２ａは、洗浄アダプタ２０の第１のスライド部材２７とフック３１及び第１の挟持部３３ａとに挟持され、かつストッパピン３４の第１の貫通孔３６に挿入されることによって、洗浄アダプタ２０は鉗子口１２に確実に固定されることになる。このとき、鉗子口１２の外周が第１の挟持部３３ａの端部に当接するところでストッパピン３４が第１の貫通孔３６と対面する位置関係に配置することにより、固定動作が簡単となる。しかも、この鉗子口１２におけるフランジ部１２ａの端面はシール部材２７ａと当接し、かつばね３０の作用によってこのシール部材２７ａを撓めることになるために、その間の気密が保持される。従って、洗浄アダプタ２０における流体パイプ２６に洗浄液供給手段を接続することによって、処置具挿通チャンネル１１の内部を円滑かつ確実に、しかも効率的に洗浄することができる。
【００２５】
また、処置具挿通チャンネル１１の洗浄が終了すると、再びばね３０を圧縮させて、ストッパピン３４を第１の貫通孔３６から離脱させる。次いで、第１のスライド部材２７を第１の摺動部２３に対して手前側にスライドさせる。そして、洗浄アダプタ２０を図７に示した状態に傾けることによって、鉗子口１２から分離することができる。
【００２６】
次に、図１１及び図１２に狭口の鉗子口１５に洗浄用アダプタ２０を装着するようにしたものを示す。即ち、図１１から明らかなように、鉗子口１５は、その通路部１５ａは鉗子口１２より狭いものであり、かつ先端に向かうに応じて細くなるテーパ形状となっている。また、鉗子口１５のフランジ部１５ｂの幅も狭いものとなっている。
【００２７】
この場合のために、洗浄アダプタ２０における流体パイプ２６の供給管部２６ｂは、鉗子口１５の通路部１５ａ内に実質的に密嵌状態に挿入されるテーパ状となっており、しかも供給管部２６ｂのテーパ部の途中位置にはＯリング３７が装着されている。そして、第１の摺動部２３における第１の貫通孔３６の位置よりさらに奥部に第２の貫通孔３８が穿設されている。
【００２８】
洗浄アダプタ２０が鉗子口１５に装着される前の段階では、洗浄液供給部材２２を構成する第１のスライド部材２７は手前側に配置され、ストッパピン３４はピン逃げ部３５に挿通された状態に保持する。この状態で、流体パイプ２６の供給管部２６ｂを鉗子口１５に挿入する。そして、本体ガイド部材２１を押し込むことによって、ばね３０を圧縮することによって、第１のスライド部材２７を第１の摺動部２３から離間させる。そして、洗浄液供給部材２２を本体ガイド部材２１の最奥位置にまで押し込むようにする。この状態で、ばね３０に対する圧縮を解除すると、ストッパピン３４は第２の貫通孔３８に挿入される。ここで、第１の摺動部２３に設けた左右の第１の挟持部３３ａ間に第２の挟持部３３ｂが形成されており、ストッパピン３４が第２の貫通孔３８に挿入されると、図１２に示したように、第２の挟持部３３ｂが供給管部２６ｂに最も近接した位置となり、第１のスライド部材２７に設けた円環板２７ｂと当接することになる。
【００２９】
以上によって、洗浄アダプタ２０は鉗子口１５に固定された状態に保持される。つまり、洗浄アダプタ２０における流体パイプ２６の軸線と直交する方向においては、その供給管部２６ｂが鉗子口１５の内部に嵌合していることと、ストッパピン３４が第２の貫通孔３８に嵌入しているのでみだりに動くようなことはなく、また洗浄アダプタ２０の鉗子口１５から引き抜く方向については、鉗子口１５のフランジ部１５ｂが第１の摺動部２３に設けた第２の挟持部３３ｂと第１のスライド部材２７の円環板２７ｂとの間に挟持されることにより固定される。従って、洗浄アダプタ２０の流体パイプ２６における接続部２６ａに洗浄液供給手段を接続して、この洗浄液供給手段から洗浄液を圧送することによって、処置具挿通チャンネル１１の内部を洗浄することができる。勿論、このときに供給管部２６ｂと鉗子口１５の通路部１５ｂとの間にはＯリング３７が介在しているので、洗浄液は確実に処置具挿通チャンネル１１の内部に供給される。また、ばね３０を圧縮して、ストッパピン３４を第２の貫通孔３８から離脱させれば、洗浄アダプタ２０を容易に鉗子口１５から分離することができる。
【図面の簡単な説明】
【００３０】
【図１】内視鏡の全体構成図である。
【図２】内視鏡において、鉗子栓を装着した鉗子口の一例を示す断面図である。
【図３】洗浄アダプタを上面側から見た斜視図である。
【図４】洗浄アダプタを下面側から見た斜視図である。
【図５】洗浄アダプタの底面図である。
【図６】図５のＸ−Ｘ断面図である。
【図７】洗浄アダプタを鉗子口に装着するに当って、そのフックを引っ掛けた状態を示す作用説明図である。
【図８】洗浄アダプタを鉗子口に装着するに当って、ばねを圧縮した状態を示す作用説明図である。
【図９】洗浄アダプタを鉗子口に装着した状態を示す断面図である。
【図１０】図９の底面図である。
【図１１】図２とは異なる形状を有する鉗子口に洗浄アダプタを装着した状態を示す断面図である。
【図１２】図１１の底面図である。
【符号の説明】
【００３１】
１  本体操作部      ２  挿入部
１０  処置具挿入部      １２，１５  鉗子口
１２ａ，１５ｂ  フランジ部      １５ａ  通路部
２０  洗浄アダプタ      ２１  本体ガイド部材
２２  洗浄液供給部材      ２３  第１の摺動部
２４ａ〜ｃ  第２の摺動部      ２６  流体パイプ
２６ａ  接続部      ２６ｂ  供給管部
２７  第１のスライド部材      ２７ａ  シール部材
２７ｂ  円環板      ２８  円環状突条
２９  第２のスライド部材      ３０  ばね
３１  フック      ３２  切り欠き部
３３ａ  第１の挟持部      ３３ｂ  第２の挟持部
３４  ストッパピン      ３６  第１の貫通孔
３８  第２の貫通孔
【図１】
2006149556.tif 000003
【図２】
2006149556.tif 000004
【図３】
2006149556.tif 000005
【図４】
2006149556.tif 000006
【図５】
2006149556.tif 000007
【図６】
2006149556.tif 000008
【図７】
2006149556.tif 000009
【図８】
2006149556.tif 000010
【図９】
2006149556.tif 000011
【図１０】
2006149556.tif 000012
【図１１】
2006149556.tif 000013
【図１２】
2006149556.tif 000014